(57)【要約】      （修正有）【課題】ワイシャツ姿で活動する時に携帯電話機を安全に収納するポケットがなく不便であり、この問題を解消するポケットの提供を目的とする。【解決手段】ワイシャツ７のボタン３が取り付けられている右側のみかえし２の幅を通常より広く取り、みかえしの裏側の胸の高さに合わせて裏ポケット４を設け、裏ポケットの底に近いみかえしに、ボタンに並行した縦の切り込みを入れて出し入れ口５を設け、裏ポケットにはアコーデオン折り込み６を設けた携帯電話機用の裏ポケット。【選択図】図１
2006183224.tif 000002
【特許請求の範囲】
【請求項１】
ワイシャツ（７）のボタン（３）が取り付けられている右側のみかえし（２）の裏地に裏ポケット（４）を取り付け、ワイシャツを着た状態で、裏ポケットに携帯電話機（８）を出し入れ出来るようにするために、みかえし（２）に、裏ポケットの底に近い部分より上方に向けて，ボタン（３）に並行した縦の切り込みを入れて、裏ポケットの出し入れ口（５）を施し設けた事を特徴とするワイシャツの裏ポケット
【請求項２】
裏ポケット（４）の出し入れ口（５）から挿入した携帯電話機（８）が、滑り落ちたり、出し入れ口が開いて携帯電話機が顔を覗くことを防ぐために、裏ポケットにアコーデオン折り込み（６）を設け、携帯電話機を余裕を持って収納する事が出来るようにするため、袋状の厚みを持たせた事を特徴とする請求項１記載のワイシャツの裏ポケット
【発明の詳細な説明】
【発明の詳細な説明】
【技術分野】
【０００１】  本発明はワイシャツ姿で活動する際に、携帯電話機を収納するに適したポケット不足による不便を、解消することを目的としたワイシャツの裏ポケットに関するものである、
【背景技術】
【０００２】  近年，日常生活で携帯電話機は必需品となっており、外出する際には手放すことが出来なくなっています、ワイシャツ姿で活動をする際に、財布や名刺入れのような破損の心配がない物はズボンのポケットに入れますが携帯電話機では無理があります、やむなく従来より設けられている胸ポケットに入れて持ち歩きます、しかし、身体のこの部分は周囲よりも一段と盛り上がっておりますので、厚みのある携帯電話機を収納すると胸ポケットが大きく膨らんで垂れ下がり、重量もあるためにとても違和感を覚えます、身体を前かがみにすると携帯電話機は簡単に滑り落ちて冷や汗をかくこともあります、この様な不便を解消するために、携帯電話機専用のポケットを設ける試みをしましたが、重量と厚みのある携帯電話機を収納すると、ポケットが突き出たり、口が開いたりしてうまくゆきません、ワイシャツの内側にポケットを設けますと、出し入れの際にネクタイやボタンをその都度外さねばなりません、この様な欠点を解消してワイシャツの外からでも簡単に携帯電話機を出し入れすることが出来ると共に、長時間持ち歩いても疲れることがなく、人目を気にしないで活動する事が出来る、裏ポケット付きワイシャツを提供する事を目的としています、
【特許文献１】特開２００３−２３９１２４号広報
【特許文献２】特開２００３−１４７６１６号広報
【特許文献３】特開平１１−８１０１７号広報
【特許文献４】実新登録第３０９２２８１号広報
【発明の開示】
【発明が解決しようとする課題】
【０００３】  発明が解決しようとする課題を整理すると次の３項目にまとめることができる【０００４】  ▲１▼ワイシャツに設けられている通常の胸ポケットに、重量のある携帯電話機を収納すると、身体のこの場所は盛り上がっているために左右のバランスが悪く違和感を覚えると同時に、ポケットが大きく膨らんで突き出し、見てくれも良いものではありません、又、身体を前かがみにすると滑り出す事がありますのでこの様な不便を解消したい。【０００５】  ▲２▼ワイシャツの裏地に設けたポケットは、裏ポケットであるがゆえに、出し入れするその都度ネクタイやボタンを外さなければなりません、ワイシャツを着たままでも簡単に裏ポケットに携帯電話機を出し入れする事を可能にしたい、【０００６】  ▲３▼裏ポケットの出し入れ口が、携帯電話機の厚みと重量で口が開いたり、携帯電話機が顔を覗かせるような、見てくれの悪さを解消したい。
【課題を解決するための手段】  本発明は、ワイシャツ（７）に設けられている従来の胸ポケットとは別に，図１で示すようにボタン（３）が取り付けられている右側のみかえし（２）の裏地に、胸の高さに合わせて裏ポケット（４）を設けた、裏ポケットはみかえし（２）の幅に合わせて縦長に縫い付けられますが、携帯電話機はそれなりに厚みと幅がありますので、右側のみかえし（２）の幅は通常より少し広く取ります、裏ポケット（４）が取り付けられている場所は、胸の中央の左右に盛り上がっている乳部の間に位置しますので、携帯電話機は胸の谷間にスッポリと無理がなく収まるのです、しかし、ボタン（３）をかけてネクタイを締めた状態で、ワイシャツの裏ポケット（４）に携帯電話機（８）を出し入れする事は無理があります、したがって本発明ではポケット（４）の底に近い，みかえし（２）に、図１で示すようにボタンに並行して縦の切り込みを入れて出し入れ口（５）を設けました。
携帯電話機を裏ポケット（４）に入れるときは、出し入れ口（５）より上の方向に差し込んで挿入します，しかし厚みのある携帯電話機をスムーズに挿入するためには、ポケットにそれなりの厚みを持たせなければなりません、又、挿入した後に出し入れ口（５）が開いたり携帯電話機が滑り落ちたりする事があってはなりません、そのような失態を防ぐために裏ポケット（４）には、携帯電話機をスッポリと余裕を持って包み込むことが出来るように、図２で示すようにアコーデオン折り込み（６）を設けました、この事により図３で示すように携帯電話機は袋状に膨らんだ裏ポケット（４）の中に収まります、この時，携帯電話機の重量は図５で示すようにポケットの底部（９）にかかりますが、この重力はポケットの底部（９）を出し入れ口（５）より押し下げますので、戻り止めの効果を創出すると共に，出し入れ口（５）を閉じる働きを合わせ持ちます、よって携帯電話機が出し入れ口（５）より顔を覗かせたり、ポケットの中から滑り出す事を防ぐ事が出来るのです。
【発明の効果】
【０００８】  本発明は上述の通り構成されているので次ぎに記載する効果を奏する。【０００９】  ▲１▼  裏ポケット（４）に設けたアコーデオン折り込み（６）は、図３で示すように袋状に大きく膨らむので、厚みのある携帯電話機を裏ポケット（４）の中にスッポリと余裕を持って収めます、又、裏ポケット（４）は胸部の中心で、左右に盛り上がっている乳部の中間に位置しますので、携帯電話機は胸の谷間にスッポリと収まるのです、この事により左右のバランスがとれて、長時間持ち歩いても疲れることがなく、その形状が外から目立たないので人目を気にする事がない、【００１０】  ▲２▼  ポケットの底部（９）にかかる携帯電話機の重量は、出し入れ口（５）を閉じる働きとポケットの底部（９）を押し下げて戻り止めの効果を創出するので、携帯電話機の落下を防ぐことができます、【００１１】  ▲３▼  人体における胸部は敏感な場所ですから、小さな振動でも確実に感知する事ができます、ですから常にバイブレーター着信に切り替えておくと、着信音で他人に迷惑をかけることがありません、仕事中に慌てて恥を掻くこともないのです。【００１２】  ▲４▼  みかえし（２）に設けた出し入れ口（５）は、ワイシャツ（７）のボタン（３）が掛けられたときに、左側のみかえしの下に隠れてしまいます、更にネクタイにより覆われますので、裏ポケット（４）に携帯電話機が収納されていることは、外部から分かるはずもなく人目を気にする必要はありません
【発明を実施するための最良の形態】
【００１３】  ワイシャツ（７）の裏ポケット（４）に携帯電話機を収納するときは、右側のみかえし（２）に設けた、出し入れ口（５）から上方に向かって差し込むように挿入します、裏ポケット（４）にはアコーデオン折り込み（６）が設けられていますので、ポケットの厚みに余裕があり、携帯電話機を楽に挿入する事ができます、ポケットの底部（９）は携帯電話機の重量で出し入れ口（５）よりも少し下の方に移動します、この事により戻り止めの効果が生れ、さらに出し入れ口（５）を閉じる効果をも創出します、この二つの働きにより携帯電話機は裏ポケット（４）から外に滑り落ちることを防ぐことができるのです、又、携帯電話機の着信は常にバイブレーター着信に切り替えておきますと振動に敏感な胸の中央は着信を確実に感知します、慌てる事なく落ち着いて受信すれば良いのです、裏ポケット（４）より携帯電話機を取り出す時は、携帯電話機を指で軽く持ち上げ手前に引きますと、自らの重みで滑り落ちてきますから片手で簡単に取り出すことができるのです
【産業上の利用可能性】
【００１６】  本発明のワイシャツ（７）の裏ポケット（４）は、みかえし（２）の裏地に，胸の高さに合わせて設けられていますので、左右のバランスが良く携帯電話機を長時間肌身離さず持ち歩くことができます、携帯電話機は胸の左右に盛り上がっている乳部の谷間にスッポリと収まるのでポケットが膨らんで、出し入れ口（５）が開いたり、他人の目を気にする心配もありません、更に着信は常にバイブレーター着信に切り替えておきますと、急に鳴り出す着信音で慌てる事もありませんし、他人に迷惑をかけるもなく静かに落ち着いて受信する事が出来るのです、片手で出し入れができますから、夏場に上着を脱いで働く人々に、安心して営業活動をすることが出来るワイシャツを提供する事ができます。
【図面の簡単な説明】
【図１】ワイシャツ（７）の正面図
【図２】裏ポケット（４）を設けたみかえし（２）の横断面図
【図３】携帯電話機（８）を収納した裏ポケット（４）の横断面図
【図４】裏ポケット（４）を設けたみかえし（２）の縦断面図
【図５】携帯電話機（８）を収納した裏ポケット（４）の縦断面図
【符号の説明】
１  襟
２  みかえし
３  ボタン
４  裏ポケット
５  出し入れ口
６  アコーデオン折り込み
７  ワイシャツ
８  携帯電話機
９  ポケットの底部
【図１】
2006183224.tif 000003
【図２】
2006183224.tif 000004
【図３】
2006183224.tif 000005
【図４】
2006183224.tif 000006
【図５】
2006183224.tif 000007